(57)【特許請求の範囲】
【請求項１】
塗布液を収容する収容部と、前記収容部から前記塗布液を導出する吸液性の塗布部と、を有する容器本体と、
前記容器本体に装着されることにより前記塗布部を覆う蓋体と、
を備える蓋付き容器であって、
前記蓋体の内面における天井面には、結露により付着した液体の垂れ落ちを抑制するための抑制部が形成され、
前記抑制部は、互いに平行に配置された複数の第１の板状部と、互いに平行に配置された複数の第２の板状部と、を備え、
前記第１の板状部と、前記第２の板状部と、が交差するように配置されることにより、前記天井面に複数のセルが形成され、
前記第２の板状部は、前記蓋体の内側面に近づくにつれて前記天井面を基準とする高さが高くなる湾曲形状に形成されている
ことを特徴とする蓋付き容器。
【請求項２】
請求項１に記載の蓋付き容器であって、
前記抑制部は、互いに平行に配置された板状部の間に形成される隙間の幅が、１〜３ｍｍである
ことを特徴とする蓋付き容器。
【請求項３】
請求項１又は請求項２に記載の蓋付き容器であって、
前記容器本体は、互いに平行に配置された複数の板状の櫛歯を更に備え、
前記塗布部は、前記櫛歯同士の間に位置するように設けられ、前記櫛歯の高さよりも低く形成されており、
前記天井面は、縦方向及び横方向で長さが異なる形状であり、
前記第１の板状部は、前記天井面の長手方向へ延びるように互いに平行に配置され、
前記第２の板状部は、前記長手方向と直交する方向へ延びるように互いに平行に配置され、かつ、前記長手方向の位置を前記櫛歯とずらして形成されている
ことを特徴とする蓋付き容器。
【請求項４】
請求項１から請求項３までのいずれか１項に記載の蓋付き容器であって、
前記蓋体は、成型時に金型へ樹脂を流し込むゲートが外面に配置された樹脂製の成型品であり、前記ゲート部分に位置するセルを囲む４つの辺であって２列の前記第１の板状部及び２列の前記第２の板状部によって形成される四角形の各辺に、隣り合うセルと連通する切欠きが形成されている
ことを特徴とする蓋付き容器。
【請求項５】
請求項１から請求項４までのいずれか１項に記載の蓋付き容器であって、
前記蓋体の内部空間は、開放部側と比較して、前記天井面側が狭く形成されており、その段差部には、結露によって前記蓋体の内面に付着した液体をトラップするための複数のリブが形成されている
ことを特徴とする蓋付き容器。
【発明の詳細な説明】
【技術分野】
【０００１】
本発明は、容器本体に設けられた吸液性の塗布部を覆うように装着される蓋体を備えた蓋付き容器に関する。
【背景技術】
【０００２】
従来、塗布液を収容する収容部及びその収容部から塗布液を導出するスポンジやフェルト等の吸液性の塗布部を有する容器本体と、塗布部を覆うように容器本体に装着可能な蓋体と、を備える蓋付き容器が知られている。
【０００３】
この種の蓋付き容器では、容器本体に蓋体が装着された状態において、塗布部から発生する蒸気の影響などによって蓋体の内面が結露することがある。結露によって蓋体の内面に付着した液体は、容器本体から蓋体が取り外された際に垂れ落ちることがあり、手や衣服などを汚してしまう要因となっていた。そこで、このような垂れ落ちを抑制するために、蓋体の内面に凹凸を形成した構成が提案されている（特許文献１参照）。
【先行技術文献】
【特許文献】
【０００４】
【特許文献１】特開２００７−７１４６号公報
【発明の概要】
【発明が解決しようとする課題】
【０００５】
しかしながら、特許文献１に記載の構成のように、蓋体の内面に凹凸を形成しただけでは、結露によって蓋体の内面に付着した液体の保持力及び保持量が十分でないため、結露によって生じる液体の量が多くなると、垂れ落ちを十分に抑制することができない。
【０００６】
本発明は、こうした問題にかんがみてなされたものであり、結露によって内面に付着した液体の保持力及び保持量の高い蓋体を備える蓋付き容器を提供することを目的としている。
【課題を解決するための手段】
【０００７】
上記目的を達成する本発明の蓋付き容器は、塗布液を収容する収容部と、収容部から塗布液を導出する吸液性の塗布部と、を有する容器本体と、容器本体に装着されることにより塗布部を覆う蓋体と、を備える。そして、蓋体の内面には、結露により付着した液体の垂れ落ちを抑制するための抑制部が形成され、抑制部は、互いに平行に配置された複数の板状部を備える。
【０００８】
このような蓋付き容器によれば、結露により蓋体の内面に付着した液体が、複数の板状部の間に形成される隙間において、隣り合う板状部の互いに対向する面で両側から挟まれる形で保持される。したがって、液体の保持力及び保持量を高めることが可能となり、液体の垂れ落ちを効果的に抑制することができる。
【０００９】
ここで、抑制部は、互いに平行に配置された複数の第１の板状部と、互いに平行に配置された複数の第２の板状部とを備え、第１の板状部と、第２の板状部と、が交差するように配置された構成にしてもよい。このようにすれば、複数の板状部が同一方向にのみ形成された構造と比較して、液体の保持力を一層高めることができる。
【００１０】
また、抑制部は、互いに平行に配置された板状部の間に形成される隙間の幅が、１〜３ｍｍであることが好ましい。このようにすれば、必要な保持力が得られる範囲で保持量を高めることができる。
【図面の簡単な説明】
【００１１】
【図１】蓋付き容器の斜視図である。
【図２】（Ａ）は蓋付き容器の正面図、（Ｂ）は側面図である。
【図３】容器本体の斜視図である。
【図４】（Ａ）は容器本体の正面図、（Ｂ）は側面図である。
【図５】（Ａ）は蓋付き容器の正面断面図、（Ｂ）は側面断面図である。
【図６】（Ａ）は蓋体の上面図、（Ｂ）は一部が断面を示す正面図、（Ｃ）は一部が断面を示す側面図、（Ｄ）は下面図である。
【発明を実施するための形態】
【００１２】
以下、本発明が適用された実施形態について、図面を用いて説明する。
図１は、実施形態の蓋付き容器１の斜視図である。また、図２（Ａ），（Ｂ）は、蓋付き容器１の正面図及び側面図である。
【００１３】
この蓋付き容器１は、塗布液（本実施形態では毛髪着色料）を収容する容器としての機能と、収容された塗布液を毛髪へ塗布する塗布具としての機能と、を有するものであり、容器本体１０と、容器本体１０に対して着脱可能な蓋体４０と、を備える。
【００１４】
図３は、蓋体４０を取り外した状態の容器本体１０の斜視図である。また、図４（Ａ），（Ｂ）は、容器本体１０の正面図及び側面図である。一方、図５（Ａ），（Ｂ）は、容器本体１０に蓋体４０が装着された状態の蓋付き容器１の正面断面図及び側面断面図（つまり、図２（Ａ），（Ｂ）に対応する断面図）である。
【００１５】
容器本体１０は、塗布液を収容する収容部２０と、収容部２０に収容された塗布液を外部へ導出するとともに毛髪に塗布するための塗布具３０と、を備える（図３等参照）。
収容部２０は、概略楕円形状の底板及びその外周部から上方へ延びる概略楕円形状の筒状の側板によって形成される収容空間内に、塗布液を含浸した吸液性の吸液体（中綿）２１が収容された樹脂（例えばポリプロピレン）製の部分である（図５（Ａ），（Ｂ）等参照）。
【００１６】
塗布具３０は、収容部２０の上方を封止する位置に設けられ、複数（この例では５本）の櫛歯３１と、櫛歯３１同士の間に位置するように櫛歯３１と交互に設けられた複数（この例では４本）の塗布部３２と、を備える（図４（Ａ）等参照）。
【００１７】
櫛歯３１は、樹脂（例えばポリプロピレン）製の板状の突出部であり、互いに平行となる向きで一列に配置されている（図３等参照）。
塗布部３２は、吸液性の材料によって形成された棒状の突出部（芯）であり、下部を吸液体２１内に陥没侵入させた状態で組み付けられており、収容部２０に収容された塗布液を上部から導出する（図５（Ａ）等参照）。また、塗布部３２は、櫛歯３１の高さよりも低く形成されており、使用者の指などが直接に触れにくいように構成されている（図４（Ａ）等参照）。
【００１８】
なお、本実施形態では、説明の便宜上、蓋体４０が装着される側を容器本体１０の上部としているが、容器本体１０の保管状態においては、使用時において塗布液が塗布部３２からスムーズに導出されやすくするように、蓋体４０が下を向くように載置される。
【００１９】
一方、図６（Ａ）は蓋体４０の上面図、図６（Ｂ）は一部（左半分）が断面を示す蓋体４０の正面図、図６（Ｃ）は一部（左半分）が断面を示す蓋体４０の側面図、図６（Ｄ）は蓋体４０の下面図である。
【００２０】
蓋体４０は、容器本体１０に装着されることにより塗布具３０を覆うように構成されている（図５（Ａ），（Ｂ）等参照）。塗布液には揮発性アルコール製剤が含まれており、容器本体１０に蓋体４０が装着された状態において、塗布部３２から発生する蒸気の影響などによって蓋体４０の内面が結露することがある。そして、前述のとおり、結露によって蓋体４０の内面に付着した液体が、容器本体１０から蓋体４０が取り外された際に垂れ落ちると、手や衣服などを汚してしまう要因となってしまう。そこで、蓋体４０の内面のうち、櫛歯３１及び塗布部３２の先端部と対向する面である概略楕円形状の天井面４１には、結露によって付着した液体の垂れ落ちを抑制するための抑制部５０が形成されている（図６（Ｂ）〜（Ｄ）等参照）。
【００２１】
抑制部５０は、長手方向（図６（Ｄ）でいう横方向）へ延びるように互いに平行に配置された複数（この例では２列）の長手板状部５１と、長手方向と直交する方向（図６（Ｄ）でいう縦方向）へ延びるように互いに平行に配置された複数（この例では８列）の短手板状部５２と、を備える。長手板状部５１と短手板状部５２とは、互いに交差（直交）するように配置されており、これにより、蓋体４０の天井面４１には複数のセル（小部屋）５３が形成されている。ここで、長手板状部５１同士の間や短手板状部５２同士の間に形成される隙間の幅は、狭くするほど液体の保持力が向上し、広くするほど液体の保持量が向上する傾向があり、１〜３ｍｍ（より好ましくは１．５〜２ｍｍ）であれば、必要な保持力が得られる範囲で保持量を高めることができる。
【００２２】
長手板状部５１は、櫛歯３１の先端に接触しない一定の高さに形成されている。一方、短手板状部５２は、蓋体４０の内側面４２に近づくにつれて高さが高くなる（中央部に近づくにつれて高さが低くなる）湾曲形状に形成されている（図６（Ｃ）等参照）。これは、短手板状部５２の高さを、櫛歯３１の先端に接触しない範囲で、できるだけ高くするためである（図５（Ｂ）等参照）。さらに、短手板状部５２は、長手方向の位置を櫛歯３１とずらして形成されている（図５（Ａ）等参照）。長手板状部５１及び短手板状部５２は、高さが３〜２０ｍｍ（より好ましくは４．５〜１０ｍｍ）、厚みが０．５〜５ｍｍ（より好ましくは０．８〜２ｍｍ）であれば、必要な保持量を得られやすくすることができる。
【００２３】
ところで、蓋体４０は、一部品で構成された樹脂（例えばポリプロピレン）製の成型品であり、上面４３の中央位置がゲート４４となっている（図６（Ａ）等参照）。すなわち、一般に樹脂成型品には、成型時に金型へ樹脂を流し込むゲートが存在し、このゲート部分で成型物とランナーとが切り離される。切り離された部分にはその跡（突起）が残ることから、蓋体４０においては、側面に比べて目立ちにくい上面にゲート４４が配置されている。ただし、この種の金型は、樹脂が流入する圧力がゲート部分に最も強く加わることから、ゲート部分を細かく複雑な形状にすると、金型が破損しやすくなってしまうという問題がある。そこで、本実施形態の蓋体４０では、ゲート４４部分（平面視で中心部）に位置するセル５３を囲む４つの辺（２列の長手板状部５１及びセル５３を挟む中央２列の短手板状部５２によって形成される四角形の各辺）に、隣り合うセル５３と連通する切欠き５４が形成されている（図６（Ｄ）等参照）。このため、蓋体４０を成型する金型において、ゲート４４部分のセル５３を形成するための四角柱状の突起が、隣接するセル５３を形成するための突起と連結した形状となり、突起が孤立して形成される場合と比較して、金型を破損しにくくすることができる。
【００２４】
また、蓋体４０の内部空間は、開放部側（下部）と比較して、天井面４１側（上部）が狭く形成されており、その段差部（肩部）には、結露によって蓋体４０の内面に付着した液体をトラップするための複数のリブ４５が形成されている。
【００２５】
一方、容器本体１０において蓋体４０の開放部側の内面と対向する側面には、周方向に突条１１が形成されている（図３等参照）。容器本体１０に蓋体４０が装着された状態においては、突条１１が蓋体４０の内面に当接することで、蓋体４０のたわみが抑制されるとともに、結露によって蓋体４０の内面に付着した液体の漏れが抑制される（図５（Ａ），（Ｂ）等参照）。
【００２６】
また、容器本体１０のゲート１２は、容器本体１０の側面における突条１１よりも下部の位置であって、蓋体４０が装着されることにより蓋体４０に覆われる位置（目立ちにくい位置）に形成されている。ゲート１２の部分には成型物とランナーとが切り離された跡が残るが、突条１１の方が高く形成されるため、蓋体４０の着脱などに影響しないようにすることができる。
【００２７】
以上説明したように、本実施形態の蓋付き容器１によれば、結露により蓋体４０の内面に付着した液体が、複数の板状部（長手板状部５１及び短手板状部５２）の間に形成される隙間において、隣り合う板状部の互いに対向する面で両側から挟まれる形で保持される。したがって、液体の保持力及び保持量を高めることが可能となり、液体の垂れ落ちを抑制することができる。
【００２８】
しかも、抑制部５０は、長手板状部５１と短手板状部５２とが交差するように配置されるため、複数の板状部が同一方向にのみ形成された構造と比較して、液体の保持力を一層高めることができる。
【００２９】
一方、蓋体４０は、ゲート４４部分に位置するセル５３を囲む４つの辺に切欠き５４が形成されているため、蓋体４０を成型するための金型を破損しにくくしつつ、ゲート４４部分に位置するセル５３自体を大きく形成する構成と比較して、液体の保持力を高めることができる。特に、天井面４１が概略楕円形状（縦方向及び横方向で長さが異なる形状）であるため、円形状（縦方向及び横方向で長さが等しい形状）の場合と比較して、内側面４２の一部にゲート４４と近接する部分が存在するが、液体の保持力及び保持量が高いため、液体の垂れ落ちを抑制することができる。
【００３０】
また、長手板状部５１及び短手板状部５２は、櫛歯３１の先端に接触しない範囲でできるだけ高く形成されているため、結露により蓋体４０の内面に付着した液体が櫛歯３１へ流れることを防ぎつつ、液体の保持量を高めることができる。しかも、蓋体４０内の段差部（肩部）にも複数のリブ４５が形成されているため、結露によって蓋体４０の内面に付着した液体の垂れ落ちを一層抑制することができる。
【００３１】
加えて、蓋体４０が一部品で構成されているため、複数部品を組み合わせて構成する場合と比較して、成型を容易にすることができるとともに、製造コストを抑えることができる。
【００３２】
以上、本発明の実施形態について説明したが、本発明は、上記実施形態に限定されることなく、種々の形態を採り得ることは言うまでもない。例えば、上記実施形態では、塗布液として毛髪着色料を例示したが、これ以外の塗布液であってもよい。
【符号の説明】
【００３３】
１…蓋付き容器、１０…容器本体、１１…突条、１２…ゲート、２０…収容部、３０…塗布具、３１…櫛歯、３２…塗布部、４０…蓋体、４１…天井面、４２…内側面、４３…上面、４４…ゲート、４５…リブ、５０…抑制部、５１…長手板状部、５２…短手板状部、５３…セル、５４…切欠き
【図１】
0005869254.tif 000002
【図２】
0005869254.tif 000003
【図３】
0005869254.tif 000004
【図４】
0005869254.tif 000005
【図５】
0005869254.tif 000006
【図６】
0005869254.tif 000007